(57)【要約】【課題】感染症の予防効果を向上できる加湿器を提供する。【解決手段】空気の流入口２０及び吹出口５を開口して流入口２０と吹出口５とを連結する送風通路７を有した筐体２と、流入口２０を覆って筐体２に着脱可能に取り付けられるとともに空気の吸込口４を開口するカバー部材３と、送風通路７に配される送風機１０と、送風通路７に配して空気を加湿する加湿部３０と、流入口２０に配して塵埃を捕集する第１フィルタ８と、筐体２とカバー部材３との間の捕虫空間２５内に着脱可能に設置されるとともに一面に粘着面を有して虫を捕獲する捕虫シート５１とを備えた。【選択図】図２
2017227369.tif 000002
【特許請求の範囲】
【請求項１】
空気の流入口及び吹出口を開口して前記流入口と前記吹出口とを連結する送風通路を有した筐体と、前記流入口を覆って前記筐体に着脱可能に取り付けられるとともに空気の吸込口を開口するカバー部材と、前記送風通路に配される送風機と、前記送風通路に配して空気を加湿する加湿部と、前記流入口に配して塵埃を捕集する第１フィルタと、前記筐体と前記カバー部材との間の捕虫空間内に着脱可能に設置されるとともに一面に粘着面を有して虫を捕獲する捕虫シートとを備えたことを特徴とする加湿器。
【請求項２】
前記第１フィルタがメッシュから成り、前記メッシュのピッチが３ｍｍ以下であることを特徴とする請求項１に記載の加湿器。
【請求項３】
前記第１フィルタが殺虫成分を含有することを特徴とする請求項１又は２に記載の加湿器。
【請求項４】
前記吸込口が任意の面に投影して直径４０ｍｍの円内に入る大きさであることを特徴とする請求項１〜３のいずれかに記載の加湿器。
【請求項５】
前記吹出口に格子状部材を設け、前記格子状部材の格子のピッチが３ｍｍ以下であることを特徴とする請求項１〜４のいずれかに記載の加湿器。
【請求項６】
前記送風機の停止時に前記吹出口を閉じるルーバーを設けたことを特徴とする請求項１〜５のいずれかに記載の加湿器。
【請求項７】
前記加湿部と前記第１フィルタとの間に前記第２フィルタを設け、第２フィルタが前記第１フィルタよりも小さな塵埃を捕集するＨＥＰＡフィルタであることを特徴とする請求項１〜６のいずれかに記載の加湿器。
【発明の詳細な説明】
【技術分野】
【０００１】
本発明は居室内を加湿する加湿器に関する。
【背景技術】
【０００２】
特許文献１には従来の加湿器が開示されている。この加湿器は空気の吸込口及び吹出口をそれぞれ背面及び上面に開口した筐体を有する。筐体は居室内の床面等に設置され、送風機を内装する。送風機の上流には加湿部が設けられる。
【０００３】
加湿部は加湿フィルタ、水槽及びタンクを有する。タンクは着脱可能に設けられ、加湿用の水を貯水する。水槽はタンクから給水され、所定の水位に保持される。加湿フィルタは吸水性を有し、下端部を水槽に浸漬される。
【０００４】
上記構成の加湿器において、運転が開始されると、送風機が駆動されて吸込口から空気が吸い込まれる。吸込口から吸い込まれた空気は加湿フィルタを通過して加湿され、吹出口から室内へ送出される。これにより、居室内の湿度を上げ、インフルエンザ等の空気感染する感染症を予防することができる。
【先行技術文献】
【特許文献】
【０００５】
【特許文献１】特開２０１４−６６４４５号公報
【発明の概要】
【発明が解決しようとする課題】
【０００６】
上記従来の加湿器によると、加湿により空気感染する感染症に対する予防効果が得られる。しかしながら、蚊等の虫を媒介とする感染症を予防できないため、感染症の予防効果が低い問題があった。
【０００７】
本発明は、感染症の予防効果を向上できる加湿器を提供することを目的とする。
【課題を解決するための手段】
【０００８】
上記目的を達成するために本発明は、空気の流入口及び吹出口を開口して前記流入口と前記吹出口とを連結する送風通路を有した筐体と、前記流入口を覆って前記筐体に着脱可能に取り付けられるとともに空気の吸込口を開口するカバー部材と、前記送風通路に配される送風機と、前記送風通路に配して空気を加湿する加湿部と、前記流入口に配して塵埃を捕集する第１フィルタと、前記筐体と前記カバー部材との間の捕虫空間内に着脱可能に設置されるとともに一面に粘着面を有して虫を捕獲する捕虫シートとを備えたことを特徴とする。
【０００９】
また本発明は、上記構成の加湿器において、前記第１フィルタがメッシュから成り、前記メッシュのピッチが３ｍｍ以下であることを特徴とする。
【００１０】
また本発明は、上記構成の加湿器において、前記第１フィルタが殺虫成分を含有することを特徴とする。
【００１１】
また本発明は、上記構成の加湿器において、前記吸込口が任意の面に投影して直径４０ｍｍの円内に入る大きさであることを特徴とする。
【００１２】
また本発明は、上記構成の加湿器において、前記吹出口に格子状部材を設け、前記格子状部材の格子のピッチが３ｍｍ以下であることを特徴とする。
【００１３】
また本発明は、上記構成の加湿器において、前記送風機の停止時に前記吹出口を閉じるルーバーを設けたことを特徴とする。
【００１４】
また本発明は、上記構成の加湿器において、前記加湿部と前記第１フィルタとの間に前記第２フィルタを設け、第２フィルタが前記第１フィルタよりも小さな塵埃を捕集するＨＥＰＡフィルタであることを特徴とする。
【発明の効果】
【００１５】
本発明によると、流入口及び吹出口を開口する筐体内の送風通路に加湿部が配され、流入口に第１フィルタが配される。また、吸込口を開口するカバー部材が筐体に取り付けられ、筐体とカバー部材との間の捕虫空間に捕虫シートが配される。これにより、居室内の空気が吸込口から捕虫空間に流入し、捕虫シートで捕虫されるとともに第１フィルタで集塵される。その後、空気は送風通路を流通して加湿部で加湿され、吹出口から送出される。このため、居室内の絶対湿度を上げて空気感染する感染症を予防するとともに虫を媒介とする感染症を予防し、感染症の予防効果を向上することができる。また、第１フィルタにより加湿部への虫の侵入が防止され、加湿部に含まれる水による虫の腐敗を防止することができる。
【図面の簡単な説明】
【００１６】
【図１】本発明の第１実施形態の加湿器を示す斜視図
【図２】本発明の第１実施形態の加湿器を示す側面断面図
【図３】本発明の第１実施形態の加湿器の加湿部の一部を示す斜視図
【図４】本発明の第１実施形態の加湿器を示す背面断面図
【図５】本発明の第１実施形態の加湿器のカバー部材を示す正面図
【図６】本発明の第２実施形態の加湿器を示す側面断面図
【図７】本発明の第３実施形態の加湿器を示す側面断面図
【発明を実施するための形態】
【００１７】
＜第１実施形態＞
以下に図面を参照して本発明の実施形態を説明する。図１及び図２は第１実施形態の加湿器のそれぞれ斜視図及び側面断面図を示している。なお、図１及び図２において白抜きの矢印は空気の流れを示している。加湿器１は居室内の床面等に設置されて水平断面形状が略楕円形の筐体２を有している。筐体２の背面側には着脱可能なカバー部材３が取り付けられている。
【００１８】
筐体２の上面の周縁部には透明な樹脂から成るスリーブ部１２が設けられる。筐体２の上面前部には操作部６が設けられる。操作部６は複数のボタン（不図示）を有し、使用者の操作によって加湿器１の動作設定を行う。各ボタンの操作によって加湿器１の駆動オンオフ、送風機１０の風量の変更、イオン発生装置１１のオンオフ等を指示することができる。
【００１９】
筐体２の背面及び上面にはそれぞれ流入口２０及び吹出口５が開口している。吹出口５にはグリル５ａ及び突出板１３が設けられる。グリル５ａ（格子状部材）は筐体２と一体に成形され、ピッチが３ｍｍ以下の格子状に形成される。これにより、吹出口５は蚊やハエ等の虫が通過できない大きさに形成される。突出板１３は吹出口５の中央部に設けられ、上方に向かって突出する。
【００２０】
カバー部材３には複数の吸込口４が開口し、カバー部材３と筐体２の背面２ａとの間には吸込口４と流入口２０とを連通させる捕虫空間２５が形成される。捕虫空間２５に面した筐体２の背面２ａは黒色に形成される。
【００２１】
筐体２内には流入口２０と吹出口５とを連結する送風通路７が設けられる。送風通路７内には流入口２０から吹出口５に向かって（気流の上流から下流に向かって）順にフィルタ８（第１フィルタ）、加湿部３０、送風機１０及びイオン発生装置１１が設けられる。
【００２２】
送風機１０はモータ１０ａにより駆動されるシロッコファンにより形成され、軸方向に
吸気して周方向に排気する。
【００２３】
フィルタ８はＡＢＳ等の合成樹脂で形成された複数段複数列の窓を有する矩形の枠にポリプロピレン製のメッシュを溶着して形成される。メッシュのピッチは３ｍｍ以下であり、蚊やハエ等の虫が通過できない大きさに形成される。また、フィルタ８は殺虫成分を含有する。
【００２４】
イオン発生装置１１は高圧電圧の印加によりイオンを発生する電極（不図示）を有し、電極は送風通路７内に面している。電極には交流波形またはインパルス波形から成る電圧が印加される。電極の印加電圧が正電圧の場合は主としてＨ＋（Ｈ２Ｏ）ｍから成るプラスイオンを発生し、負電圧の場合は主としてＯ２−（Ｈ２Ｏ）ｎから成るマイナスイオンを発生する。ここで、ｍ、ｎは整数である。Ｈ＋（Ｈ２Ｏ）ｍ及びＯ２−（Ｈ２Ｏ）ｎは空気中の浮遊菌や臭気成分の表面で凝集してこれらを取り囲む。
【００２５】
そして、式（１）〜（３）に示すように、衝突により活性種である［・ＯＨ］（水酸基ラジカル）やＨ２Ｏ２（過酸化水素）を微生物等の表面上で凝集生成して浮遊菌等を破壊する。ここで、ｍ’、ｎ’は整数である。したがって、プラスイオン及びマイナスイオンを発生して吹出口５から送出することにより居室内の除菌及び臭い除去を行うことができる。
【００２６】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ 2・ＯＨ＋Ｏ２＋(ｍ＋ｍ'＋ｎ＋ｎ')Ｈ２Ｏ ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ Ｈ２Ｏ２＋Ｏ２＋(ｍ＋ｍ'＋ｎ＋ｎ')Ｈ２Ｏ ・・・（３）
【００２７】
また、プラスイオン及びマイナスイオンが使用者の肌に接触すると、肌に水酸基（ＯＨ基）が付着して肌表面が親水化される。これにより、肌表面に水分子が付着しやすくなり、肌に潤いを与えることができる。
【００２８】
加湿部３０はタンク３５、水槽３４及び加湿フィルタ３３を有している。タンク３５は筐体２の側面の蓋部（不図示）を開いて着脱可能に設けられ、加湿用の水が貯水される。水槽３４は送風通路７の底壁上に設けられ、タンク３５から給水して所定の水位に保持される。
【００２９】
加湿フィルタ３３は樹脂成形品の中空の円盤状に形成された保持部３１により円形の吸水材３２を保持して形成される。吸水材３２は通気性及び吸水性を有する不織布等により形成される。保持部３１は筐体２に軸部３１ａで軸支され、回転可能に配される。
【００３０】
図３は加湿フィルタ３３の斜視図を示している。保持部３１の外周面にはラック３１ｂが形成される。ラック３１ｂは筐体２に配したモータ３７（図２参照）に取り付けられるピニオン３７ａ（図２参照）に噛合する。モータ３７の駆動により、加湿フィルタ３３は垂直面内で回転する。
【００３１】
保持部３１の軸方向の両端面には開口部３１ｃ及び被覆部３１ｄが設けられる。被覆部３１ｄは部分円形状に形成され、吸水材３２を覆う。開口部３１ｃは被覆部３１ｄの非形成部分に複数開口し、吸水材３２が露出する。
【００３２】
加湿フィルタ３３はモータ３７（図２参照）により回転し、開口部３１ｃを介して吸水材３２が水槽３４（図２参照）内に浸漬して吸水する。また、モータ３７の停止時に被覆部３１ｄを水槽３４内に浸漬して吸水材３２の吸水を回避し、吸水材３２の雑菌の繁殖が防止される。
【００３３】
図４は加湿器１の筐体２の上部の背面断面図を示している。筐体２の背面上部には流入口２０に対して外側（カバー部材３側）に突出した突出部２８が設けられる。突出部２８は左右方向に延びて形成され、突出部２８の下面の左右方向の中央部には凹部２８ａが凹設される。
【００３４】
凹部２８ａ内の左右端部にはそれぞれ出射面（不図示）が斜め下方を向くように誘引灯２１が配される。これにより、誘引灯２１は捕虫空間２５の上部に面してカバー部材３の吸込口４の上方に配置される。誘引灯２１は、蚊等の虫を誘引する約３６５ｎｍの紫外線を出射する紫外線発光ダイオード（不図示）を有する。
【００３５】
凹部２８ａの左右方向の中央部には両面に反射面６１ａが形成された板状の反射部６１が垂設される。反射面６１ａはシボ加工され、誘引灯２１の出射面から出射された光Ｐ１は反射面６１ａで拡散反射する。反射面６１ａで拡散反射した光Ｐ２は捕虫空間２５内を照射するとともに吸込口４を介して居室内に出射される。これにより、使用者が誘引灯２１を直視することを防止することができる。
【００３６】
図５はカバー部材３を内側（筐体２側）から見た正面図を示している。カバー部材３は筐体２に設けられた係合孔（不図示）に係合する係合爪（不図示）を有する。これにより、カバー部材３は筐体２に対して着脱可能に取り付けられる。カバー部材３は後方に凸になるように湾曲し、左右の両端部にはそれぞれ複数（本実施形態では５個）の吸込口４が上下に並設される。なお、吸込口４は１個でもよい。
【００３７】
吸込口４は所定の面に投影して直径Ｄが５ｍｍの円が吸込口４内に入る大きさに形成される。これにより、吸込口４を介して虫を捕虫空間２５（図２参照）内に容易に進入させることができる。
【００３８】
また、吸込口４はあらゆる方向から見た任意の面に投影して直径Ｄが４０ｍｍの円内に入る大きさに形成される。これにより、幼児の手幅が約４０ｍｍ以上であるため、吸込口４を介して幼児の手が捕虫空間２５（図２参照）内に進入することを防止できる。したがって、後述する捕虫シート５１上に捕獲された虫と幼児の手との接触を防止することができる。
【００３９】
カバー部材３の内面３ａには捕虫シート５１が配される。捕虫シート５１はカバー部材３の四隅に突設された係合部５５に孔部５１ｂを係合して装着される。捕虫シート５１は筐体２側の一面に例えばアクリル系の粘着剤を設けた粘着面５１ａを有している。
【００４０】
また、カバー部材３の内面３ａには虫を誘引する臭気物質を発生するニオイ発生部７０が設けられる。臭気物質に特に限定はないが、例えば乳酸を挙げることができる。乳酸により蚊等を容易に誘引することができる。なお、ニオイ発生部７０の設置場所は捕虫空間２５内であれば、カバー部材３の内面に限定されず筐体２の背面２ａに設けてもよい。
【００４１】
上記構成の加湿器１において、操作部６の操作により加湿器１の運転が指示されると、送風機１０及び加湿部３０のモータ３７が駆動される。送風機１０の駆動により、吸込口４を介して居室内の空気が捕虫空間２５内に流入する。モータ３７の駆動により加湿フィルタ３３が回転して吸水材３２に吸水される。
【００４２】
捕虫空間２５に流入した空気は筐体２の流入口２０から送風通路７に流入する。この時、フィルタ８により空気中の大きな塵埃が捕集される。フィルタ８を通過した空気は加湿フィルタ３３の開口部３１ｃを介して吸水材３２を通過し、水分が含まれる。また、送風機１０の排気側の送風通路７内を流通する空気にはイオン発生装置１１で発生したイオンが含まれる。そして、水分及びイオンを含む空気が吹出口５から送出される。
【００４３】
これにより、居室内の空気が循環し、イオンによる除菌及び脱臭を行うことができる。また、居室内の絶対湿度を上げ、インフルエンザ等の空気感染する感染症を予防することができる。
【００４４】
また、所定の時期に誘引灯２１が点灯され、誘引灯２１の出射光が反射面６１ａにより吸込口４に向けて拡散反射する。これにより、誘引灯２１の出射光及びニオイ発生部７０の臭気成分によって、吸込口４を介して虫が捕虫空間２５に誘引される。捕虫空間２５に進入した虫は捕虫シート５１により捕獲されるとともに、フィルタ８に含有した殺虫成分によって殺虫されて捕虫空間２５内に堆積する。したがって、虫を媒介とする感染症を予防することができる。
【００４５】
この時、フィルタ８により加湿部３０への虫の進入が防止される。これにより、加湿部３０の水槽３４及び吸水材３２により虫が捕獲されないため、水槽３４及び吸水材３２に含まれる水による虫の腐敗を防止することができる。
【００４６】
誘引灯２１の紫外線は流入口２０及びフィルタ８を介して筐体２内に入射し、加湿フィルタ３３を殺菌することができる。筐体２内に臨む孔部２８ｂを突出部２８に設けて、加湿フィルタ３３に紫外線を照射させるようにしてもよい。
【００４７】
なお、蚊等の虫は黒色を好むことが知られている。筐体２の背面２ａ（捕虫空間２５に面した領域）を黒色に形成しているため、カバー部材３の近傍に誘引された虫を吸込口４を介して容易に捕虫空間２５に進入させることができる。また、捕虫シート５１を黒色に形成しているため、捕虫空間２５に進入した虫を捕虫シート５１上に容易に誘引させることができる。
【００４８】
更に、蚊等の虫は湿気や水分を好むことが知られている。このため、虫が加湿部３０の水槽３４の貯水に誘引され、容易に蚊等の虫を捕虫空間２５に進入させることができる。
【００４９】
本実施形態によると、流入口２０及び吹出口５を開口する筐体２内の送風通路７に加湿部３０が配され、流入口２０にフィルタ８（第１フィルタ）が配される。また、吸込口４を開口するカバー部材３が筐体２に取り付けられ、筐体２とカバー部材３との間の捕虫空間２５に捕虫シート５１が配される。これにより、居室内の空気が吸込口４から捕虫空間２５に流入し、捕虫シート５１で捕虫されるとともにフィルタ８で集塵される。その後、空気は送風通路７を流通して加湿部３０で加湿され、吹出口５から送出される。
【００５０】
このため、居室内の絶対湿度を上げて空気感染する感染症を予防するとともに虫を媒介とする感染症を予防し、感染症の予防効果を向上することができる。また、フィルタ８により加湿部３０への虫の侵入が防止され、加湿部３０に含まれる水による虫の腐敗を防止することができる。
【００５１】
また、フィルタ８がメッシュから成り、メッシュのピッチが３ｍｍ以下であるので、蚊等の虫の加湿部３０への進入を確実に防止することができる。
【００５２】
また、フィルタ８が殺虫成分を含有するため、捕虫空間２５に進入した虫が殺虫され、より多くの虫を捕獲することができる。
【００５３】
また、吸込口４が任意の面に投影して直径４０ｍｍの円内に入る大きさであるので、幼児の手が捕虫空間２５内に進入することを防止できる。したがって、捕虫シート５１上に捕獲された虫と幼児の手との接触を防止することができ、加湿器１の衛生性を向上することができる。
【００５４】
また、吹出口５にグリル５ａ（格子状部材）を設け、グリル５ａの格子のピッチが３ｍｍ以下である。このため、吹出口５から加湿部３０への虫の進入を防止することができ、加湿部３０に含まれる水による虫の腐敗をより確実に防止することができる。
【００５５】
＜第２実施形態＞
次に、本発明の第２実施形態について説明する。図６は第２実施形態の加湿器１の側面断面図を示している。説明の便宜上、前述の図１〜図５に示した第１実施形態と同様の部分には同一の符号を付している。本実施形態では、ＨＥＰＡフィルタ９(第２フィルタ)が設けられる点が異なっている。その他の部分は第１実施形態と同様である。
【００５６】
ＨＥＰＡフィルタ９はフィルタ８と加湿部３０との間に設けられている。ＨＥＰＡフィルタ９は濾材９ａを覆うように枠材９ｂがホットメルトにより溶着して形成され、フィルタ８よりも小さな塵埃を捕集できる。このため、例えば、ＨＥＰＡフィルタ９によって、所定粒径（例えば３μｍ）よりも小さい粒径のＰＭ２．５等の微小粒子状物質を含む空気中の微細な塵埃を捕集することができる。
【００５７】
本実施形態によると、第１実施形態と同様の効果を奏することができる。また、ＨＥＰＡフィルタ９がフィルタ８よりも小さな塵埃を捕集するため、室内の空気をより清浄化することができる。
【００５８】
＜第３実施形態＞
次に、本発明の第３実施形態について説明する。図７は第３実施形態の加湿器１の側面断面図を示している。説明の便宜上、前述の図１〜図５に示した第１実施形態と同様の部分には同一の符号を付している。本実施形態は、グリル５ａ（図２参照）が省かれ、吹出口５にルーバー３８が設けられている点が第１実施形態と異なる。その他の部分は第１実施形態と同様である。
【００５９】
ルーバー３８は筐体２の上面に回動可能に設けられ、モータ（不図示）の駆動により吹出口５を突出板１３を回避して開閉する。
【００６０】
送風機１０の停止時に吹出口５はルーバー３８によって閉じられる。これにより、吹出口５から加湿部３０への虫の進入を防止することができる。また、送風機１０が駆動されるとルーバー３８によって吹出口５が開かれる。これにより、吹出口５から空気が送出されるため、吹出口５から加湿部３０への虫の進入を防止することができる。
【００６１】
本実施形態によると、第１実施形態と同様の効果を奏することができる。また、送風機１０の停止時に吹出口５を閉じるルーバー３８を設けたため、吹出口５から加湿部３０への虫の進入を防止することができる。したがって、加湿部３０に含まれる水による虫の腐敗をより確実に防止することができる。
【００６２】
本実施形態において、吹出口５にグリル５ａ（図２参照）及びルーバー３８を設けてもよい。
【産業上の利用可能性】
【００６３】
本発明は居室内を加湿する加湿器に利用することができる。
【符号の説明】
【００６４】
１      加湿器
２      筐体
２ａ    背面
３      カバー部材
３ａ    内面
４      吸込口
５      吹出口
５ａ    グリル（格子状部材）
６      操作部
７      送風通路
８      フィルタ
９      ＨＥＰＡフィルタ
１０      送風機
１１      イオン発生装置
１２      スリーブ部
１３      突出板
２０      流入口
２１      誘引灯
２５      捕虫空間
２８      突出部
２８ａ    凹部
３０      加湿部
３１      保持部
３１ａ    軸部
３１ｂ    ラック
３１ｃ    開口部
３１ｄ    被覆部
３２      吸水材
３３      加湿フィルタ
３４      水槽
３５      タンク
３７      モータ
３８      ルーバー
５１      捕虫シート
５１ａ    粘着面
５５      係合部
６１      反射部
７０      ニオイ発生部
【図１】
2017227369.tif 000003
【図２】
2017227369.tif 000004
【図３】
2017227369.tif 000005
【図４】
2017227369.tif 000006
【図５】
2017227369.tif 000007
【図６】
2017227369.tif 000008
【図７】
2017227369.tif 000009